(57)【要約】  本発明は携帯電話を用いる電子支払手段の充填金額移転システムに係り、第１使用者から入力された充填金額移転要請情報によって第１電子決済支払手段に保存された充填残額を検索し、移転すべき金額が充填残額より小さければ、生成された充填金額移転要請ＳＭＳを発信し、第１充填金額移転完了ＳＭＳを受信して第１電子決済支払手段に保存された充填残額を更新する第１使用者端末機と、充填金額移転要請ＳＭＳによって既に保存された第１使用者情報を検索するとともに充填金額移転確認要請ＳＭＳを生成して発信し、充填金額移転確認ＳＭＳを受信して充填保存ＤＢに既に保存された第１及び第２使用者情報を更新し、生成した第１及び第２充填金額移転完了ＳＭＳを発信する充填サーバーと、充填金額移転確認要請ＳＭＳを受信して第２使用者から入力された充填金額移転確認情報によって充填金額移転確認ＳＭＳを生成して発信し、第２充填金額移転完了ＳＭＳ受信して第２電子決済支払手段に保存された充填残額を更新する第２使用者端末機とを含む。
2011526022.tif 000002
【特許請求の範囲】
【請求項１】
携帯電話を用いる電子支払手段の充填金額移転システムにおいて、
第１使用者１０から入力された充填金額移転要請情報によって第１電子決済支払手段１２０に保存された充填残額を検索し、移転すべき金額が充填残額より小さければ、生成された充填金額移転要請ＳＭＳを発信し、第１充填金額移転完了ＳＭＳを受信して前記第１電子決済支払手段１２０に保存された充填残額を更新する第１使用者端末機１００；
前記充填金額移転要請ＳＭＳによって既に保存された第１使用者情報を検索するとともに充填金額移転確認要請ＳＭＳを生成して発信し、充填金額移転確認ＳＭＳを受信して充填保存ＤＢ２２０に既に保存された第１及び第２使用者情報を更新し、生成した第１及び第２充填金額移転完了ＳＭＳを発信する充填サーバー２００；及び
前記充填金額移転確認要請ＳＭＳを受信して第２使用者２０から入力された充填金額移転確認情報によって充填金額移転確認ＳＭＳを生成して発信し、前記第２充填金額移転完了ＳＭＳ受信して第２電子決済支払手段３３０に保存された充填残額を更新する第２使用者端末機３００；を含むことを特徴とする、携帯電話を用いる電子支払手段の充填金額移転システム。
【請求項２】
前記第１使用者端末機１００は、
前記第１使用者１０の操作によって前記充填金額移転要請情報を受ける第１入力手段１１０；
第１使用者の充填残額、第１端末機識別番号、前記充填金額移転要請情報、及び充填金額移転完了情報を保存する第１電子決済支払手段１２０；
前記充填金額移転要請情報を受けて前記第１電子決済支払手段１２０に保存された充填残額を検索し、移転すべき金額が充填残額より小さければ、前記充填金額移転要請ＳＭＳを生成し、前記第１充填金額移転完了ＳＭＳによって前記第１電子決済支払手段１２０に保存された充填残額を更新し、充填残額が更新されることによって充填が完了したことを示す充填金額移転確認情報を生成する第１制御手段１３０；
前記充填金額移転要請ＳＭＳを発信して前記第１充填金額移転完了ＳＭＳを受信する第１通信手段１４０；及び
前記充填金額移転要請情報、充填残額、充填金額移転要請ＳＭＳ、第１充填金額移転完了ＳＭＳ、及び充填金額移転確認情報を出力する第１出力手段１５０；を含むことを特徴とする、請求項１に記載の携帯電話を用いる電子支払手段の充填金額移転システム。
【請求項３】
前記充填金額移転要請情報は、
移転すべき金額、第２使用者端末機識別番号、及び第１使用者識別番号を含むことを特徴とする、請求項１に記載の携帯電話を用いる電子支払手段の充填金額移転システム。
【請求項４】
前記第１電子決済支払手段１２０に保存された充填残額の更新は、
前記第１充填金額移転完了ＳＭＳによって前記第１電子決済支払手段１２０に既に保存された第１使用者の充填残額から前記充填金額移転要請情報に含まれた移転要請金額を差し引くことで、前記第１使用者情報に含まれた充填残額を更新することを特徴とする、請求項１に記載の携帯電話を用いる電子支払手段の充填金額移転システム。
【請求項５】
前記充填サーバー２００は、
前記充填金額移転要請ＳＭＳを受信して前記充填金額移転確認要請ＳＭＳを発信し、前記充填金額移転確認ＳＭＳを受信して前記第１及び第２充填金額移転完了ＳＭＳを発信する第２通信手段２１０；
前記第１及び第２使用者情報、充填金額移転確認要請ＳＭＳ、充填金額移転確認ＳＭＳ、及び第１及び第２充填金額移転完了ＳＭＳを保存する充填保存ＤＢ２２０；及び
前記充填金額移転要請ＳＭＳによって第１使用者情報を検索して前記充填金額移転確認要請ＳＭＳを生成し、前記充填金額移転確認ＳＭＳによって前記充填保存ＤＢ２２０に既に保存された前記第１使用者の充填残額から充填金額移転要請情報に含まれた移転要請金額を差し引き、差し引かれた金額に相当する前記第２使用者の充填残額を増減して前記第１及び第２使用者情報を更新して前記第１及び第２充填金額移転完了ＳＭＳを生成する充填金額移転手段２３０；を含むことを特徴とする、請求項１に記載の携帯電話を用いる電子支払手段の充填金額移転システム。
【請求項６】
前記第１及び第２使用者情報は、前記第１及び第２使用者の識別番号、第１及び第２使用者の端末機識別番号、及び第１及び第２使用者の充填残額を含むことを特徴とする、請求項１に記載の携帯電話を用いる電子支払手段の充填金額移転システム。
【請求項７】
前記第２使用者端末機３００は、
前記充填金額移転確認要請ＳＭＳを受信して前記充填金額移転確認ＳＭＳを発信し、前記第２充填金額移転完了ＳＭＳを受信する第３通信手段３１０；
前記第２使用者２０の操作による前記充填金額移転確認情報を受ける第２入力手段３２０；
第２使用者の充填残額、第２端末機識別番号、前記充填金額移転確認情報、及び前記充填金額移転完了情報を保存する第２電子決済支払手段３３０；
前記充填金額移転要請情報及び充填金額移転確認要請ＳＭＳを受けて前記充填金額移転確認ＳＭＳを生成し、前記第２充填金額移転完了ＳＭＳによって前記第２電子決済支払手段３３０に保存された充填残額を更新し、充填残額が更新されることによって充填が完了したことを示す前記充填金額移転完了情報を生成する第２制御手段３４０；及び
前記充填金額移転確認要請ＳＭＳ、充填金額移転確認情報、充填残額、充填金額移転確認ＳＭＳ、第２充填金額移転完了ＳＭＳ、及び充填金額移転完了情報を出力する第２出力手段３５０；を含むことを特徴とする、請求項１に記載の携帯電話を用いる電子支払手段の充填金額移転システム。
【請求項８】
前記第２電子決済支払手段３３０に保存された充填残額の更新は、
前記第２充填金額移転完了ＳＭＳによって前記第２電子決済支払手段３３０に既に保存された前記第２使用者の充填残額から前記充填金額移転確認情報に含まれた移転確認金額を増減させることで、前記第２使用者情報に含まれた充填残額を更新することを特徴とする、請求項１に記載の携帯電話を用いる電子支払手段の充填金額移転システム。
【請求項９】
携帯電話を用いる電子支払手段の充填金額移転方法において、
第１使用者端末機１００が第１使用者１０から充填金額移転要請情報を受けて充填残額を検索し、移転すべき金額が充填残額より小さければ、充填金額移転要請ＳＭＳを生成して充填金額移転要請ＳＭＳを充填サーバー２００に発信する第１過程；
前記充填サーバー２００が第１使用者情報を検索して充填金額移転確認要請ＳＭＳを生成し、前記充填金額移転確認要請ＳＭＳを第２使用者端末機３００に発信する第２過程；
前記第２使用者端末機３００が前記充填金額移転確認要請ＳＭＳを受信し、第２使用者２０から充填金額移転確認情報を受信して充填金額移転確認ＳＭＳを生成し、前記充填金額移転確認ＳＭＳを前記充填サーバー２００に発信する第３過程；
前記充填サーバー２００が前記充填金額移転確認ＳＭＳを受信して前記第１使用者情報及び第２使用者情報を更新し、第１充填金額移転完了ＳＭＳを生成して前記第１使用者端末機１００に発信し、第２充填金額移転完了ＳＭＳを生成して前記第２使用者端末機３００に発信する第４過程；
前記第１使用者端末機１００が受信した前記第１充填金額移転完了ＳＭＳによって充填残額を更新し、充填残額が更新されることによって充填が完了したことを示す充填金額移転確認情報を生成して前記第１使用者１０に提供する第５過程；及び
前記第２使用者端末機３００が受信した前記第２充填金額移転完了ＳＭＳによって充填残額を更新し、充填残額が更新されることによって充填が完了したことを示す充填金額移転完了情報を生成して前記第２使用者２０に提供する第６過程；を含むことを特徴とする、携帯電話を用いる電子支払手段の充填金額移転方法。
【請求項１０】
前記第１過程において、
前記移転すべき金額が検索された充填残額より大きければ、前記第１使用者１０から前記充填金額移転要請情報をさらに受ける第７過程；をさらに含むことを特徴とする、請求項９に記載の携帯電話を用いる電子支払手段の充填金額移転方法。
【請求項１１】
前記第６過程の後、
第１使用者端末機４００が前記第１使用者１０から入力された充填金額移転取消要請情報によって充填金額移転取消ＳＭＳを生成して充填サーバー５００に発信する第８過程；
充填サーバー５００が受信した充填金額移転取消ＳＭＳと対応する第１及び第２使用者情報を検索して第１及び第２使用者情報を更新し、第１充填金額移転取消完了ＳＭＳを生成して前記第１使用者端末機４００に発信し、第２充填金額移転取消完了ＳＭＳを生成して第２使用者端末機６００に発信する第９過程；
前記第１使用者端末機４００が受信した第１充填金額移転取消完了ＳＭＳによって充填残額を更新し、充填残額が更新されることによって充填が取り消されたことを示す充填金額移転取消完了情報を生成して前記第１使用者１０に提供する第１０過程；及び
前記第２使用者端末機６００が受信した第２充填金額移転取消完了ＳＭＳによって充填残額を更新し、充填残額が更新されることによって充填が取り消されたことを示す充填金額移転取消完了情報を生成して前記第２使用者２０に提供する第１１過程；をさらに含むことを特徴とする、請求項９に記載の携帯電話を用いる電子支払手段の充填金額移転方法。
【請求項１２】
前記第６過程の後、
第２使用者端末機６００が前記第２使用者２０から入力された充填金額移転拒絶要請情報によって充填金額移転拒絶ＳＭＳを生成して充填サーバー５００に発信する第１２過程；
前記充填サーバー５００が受信した充填金額移転拒絶ＳＭＳと対応する第１及び第２使用者情報を検索して前記第１及び第２使用者情報を更新し、第２充填金額移転拒絶完了ＳＭＳを生成して前記第２使用者端末機６００に発信し、第１充填金額移転取消完了ＳＭＳを生成して第１使用者端末機４００に発信する第１３過程；
前記第２使用者端末機６００が受信した第２充填金額移転拒絶完了ＳＭＳによって充填残額を更新し、充填残額が更新されることによって充填金額移転が拒絶されたことを示す充填金額移転拒絶完了情報を生成して前記第２使用者２０に提供する第１４過程；及び
前記第１使用者端末機４００が受信した第１充填金額移転拒絶完了ＳＭＳによって充填残額を更新し、充填残額が更新されることによって充填金額移転が拒絶されたことを示す充填金額移転拒絶完了情報を生成して前記第１使用者１０に提供する第１５過程；をさらに含むことを特徴とする、請求項９に記載の携帯電話を用いる電子支払手段の充填金額移転方法。
【請求項１３】
携帯電話を用いる電子支払手段の充填金額移転方法において、
充填サーバー２００が第１使用者端末機１００から受信した充填金額移転要請ＳＭＳによって第１使用者情報を検索して生成した充填金額移転確認要請ＳＭＳを前記第１使用者端末機１００に発信する第１６過程；
前記第１使用者端末機１００が前記充填金額移転確認要請ＳＭＳを受信して内部に保存された充填残額を差し引いて更新し、第１充填金額移転完了ＳＭＳを生成して第１使用者１０に提供するとともに前記充填サーバー２００に発信する第１７過程；
前記充填サーバー２００が前記第１充填金額移転完了ＳＭＳを受信して検索された第１使用者情報の充填残額を差し引いて更新し、第２使用者情報を検索して生成した充填金額移転確認要請ＳＭＳを第２使用者端末機３００に発信する第１８過程；
前記第２使用者端末機３００が第２使用者２０から入力された充填金額移転確認情報によって内部に保存された充填残額を増減して更新するとともに生成した第２充填金額移転完了ＳＭＳを前記充填サーバー２００に発信するとともに前記第２使用者２０に提供する第１９過程；及び
前記充填サーバー２００が前記第２充填金額移転完了ＳＭＳを受信して検索された第２使用者の充填残額を増減して更新する第２０過程；を含むことを特徴とする、携帯電話を用いる電子支払手段の充填金額移転方法。
【請求項１４】
前記第１使用者端末機１００が前記第１使用者１０から充填金額移転取消要請情報を受けて生成した充填金額移転取消ＳＭＳを前記充填サーバー２００に発信する第２１過程；を含み、
前記充填サーバー２００が前記第１６過程の手続きを行う前に前記第１充填金額移転取消ＳＭＳを受信すれば、前記第１使用者１０の充填残額を増減して更新し、第１充填金額移転取消完了ＳＭＳを生成して前記第１使用者端末機１００に発信する第２２過程；及び
前記第１使用者端末機１００が受信した第１充填金額移転取消完了ＳＭＳによって内部に保存された充填金額を増減して更新するとともに生成した充填金額移転取消完了情報を前記第１使用者１０に提供する第２３過程；を含むことを特徴とする、請求項１３に記載の携帯電話を用いる電子支払手段の充填金額移転方法。
【発明の詳細な説明】
【技術分野】
【０００１】
本発明は携帯電話を用いる電子支払手段の充填金額移転システム及びその方法に係り、より詳しくは情報通信網を介して充填サーバーを経て第１使用者端末機の電子決済支払手段に充填された金額を第２使用者端末機の電子決済支払手段に移転させる、携帯電話を用いる電子支払手段の充填金額移転システム及びその方法に関する。
【背景技術】
【０００２】
スマートカードはＩＣ（Ｉｎｔｅｇｒａｔｅｄ  Ｃｉｒｃｕｉｔ：集積回路）記憶素子を装着して大容量の情報を格納することができる電子式クレジットカードであり、メモリ型スマートカード、マイクロプロセッサー内装スマートカード及び対話型スマートカードに区分される。
【０００３】
メモリスマートカードはマイクロプロセッサーを内蔵しないスマートカードで、公衆電話カードや物品購入券のような有価証券として取り扱われる分野に主に使用するメモリの外に保安装置が含まれた形態と、保険証のような純粋データ保管用のもので、単にメモリだけ内蔵した形態を持つ。
【０００４】
マイクロプロセッサー内装スマートカードはマイクロプロセッサーとメモリを内蔵して、判断、演算及びデータ保護などの機能の遂行が可能なカードであり、対話型スマートカードはマイクロプロセッサー、メモリ、入出力プロトコル及びアプリケーションを内蔵して両方向への情報伝達を支援するカードである。
【０００５】
普遍的にたくさん使われている対話型スマートカードは、その内部に内蔵したＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）にスマートカード識別情報と充填金額情報を内蔵して、使用者の物品購買や交通料金決済の際に支払手段の役目をする。
【０００６】
このようなスマートカードはクレジットカードに取り替えられるが、発給基準が複雑であるから、青少年を含む学生が利用するのに困難さがあり、発給されたクレジットカードの紛失の際に莫大な害を被るため、多くの使用者が充填方式のスマートカードを好んでいる。
【０００７】
しかし、通用しているスマートカードは、内部に充填された残額が一定金額を維持するように充填しなければならなく、このような充填過程は、使用者が現金を持ち、充填手段の備えられた場所を直接訪問して充填するか、あるいはコンピュータのような記録媒体を介してオンライン上で使用者確認及び金融社による充填決済を遂行しなければならない不便さをもたらす。
【発明の概要】
【発明が解決しようとする課題】
【０００８】
本発明は前記のような問題点を解消ためになされたもので、使用者が充填手段の備えられた場所を直接訪問するか、あるいはコンピュータのような記録媒体を介してオンライン上で使用者確認及び金融社による複雑な充填決済を遂行しなくても、無線で充填サーバーを経て第１使用者端末機の電子決済支払手段に充填された金額を第２使用者端末機の電子決済支払手段に移転させる、携帯電話を用いる電子支払手段の充填金額移転システム及びその方法を提供することに特徴的な目的がある。
【課題を解決するための手段】
【０００９】
このような技術的課題を達成するための本発明の第１実施例による携帯電話を用いる電子支払手段の充填金額移転システムは、第１使用者から入力された充填金額移転要請情報によって第１電子決済支払手段に保存された充填残額を検索し、移転すべき金額が充填残額より小さければ、生成された充填金額移転要請ＳＭＳを発信し、第１充填金額移転完了ＳＭＳを受信して第１電子決済支払手段に保存された充填残額を更新する第１使用者端末機と、充填金額移転要請ＳＭＳによって既に保存された第１使用者情報を検索するとともに充填金額移転確認要請ＳＭＳを生成して発信し、充填金額移転確認ＳＭＳを受信して充填保存ＤＢに既に保存された第１及び第２使用者情報を更新し、生成した第１及び第２充填金額移転完了ＳＭＳを発信する充填サーバーと、充填金額移転確認要請ＳＭＳを受信して第２使用者から入力された充填金額移転確認情報によって充填金額移転確認ＳＭＳを生成して発信し、第２充填金額移転完了ＳＭＳ受信して第２電子決済支払手段に保存された充填残額を更新する第２使用者端末機とを含む。
【００１０】
また、第１使用者端末機は、第１使用者の操作によって充填金額移転要請情報を受ける第１入力手段と、第１使用者の充填残額、第１端末機識別番号、充填金額移転要請情報、及び充填金額移転完了情報を保存する第１電子決済支払手段と、充填金額移転要請情報を受けて第１電子決済支払手段に保存された充填残額を検索し、移転すべき金額が充填残額より小さければ、充填金額移転要請ＳＭＳを生成し、第１充填金額移転完了ＳＭＳによって第１電子決済支払手段に保存された充填残額を更新し、充填残額が更新されることによって充填が完了したことを示す充填金額移転確認情報を生成する第１制御手段と、充填金額移転要請ＳＭＳを発信して第１充填金額移転完了ＳＭＳを受信する第１通信手段と、充填金額移転要請情報、充填残額、充填金額移転要請ＳＭＳ、第１充填金額移転完了ＳＭＳ、及び充填金額移転確認情報を出力する第１出力手段とを含む。
【００１１】
また、充填金額移転要請情報は、移転すべき金額、第２使用者端末機識別番号、及び第１使用者識別番号を含むことを特徴とする。
【００１２】
また、第１電子決済支払手段に保存された充填残額の更新は、第１充填金額移転完了ＳＭＳによって第１電子決済支払手段に既に保存された第１使用者の充填残額から充填金額移転要請情報に含まれた移転要請金額を差し引くことで、第１使用者情報に含まれた充填残額を更新することを特徴とする。
【００１３】
また、充填サーバーは、充填金額移転要請ＳＭＳを受信して充填金額移転確認要請ＳＭＳを発信し、充填金額移転確認ＳＭＳを受信して第１及び第２充填金額移転完了ＳＭＳを発信する第２通信手段と、第１及び第２使用者情報、充填金額移転確認要請ＳＭＳ、充填金額移転確認ＳＭＳ、及び第１及び第２充填金額移転完了ＳＭＳを保存する充填保存ＤＢと、充填金額移転要請ＳＭＳによって第１使用者情報を検索して充填金額移転確認要請ＳＭＳを生成し、充填金額移転確認ＳＭＳによって充填保存ＤＢに既に保存された第１使用者の充填残額から充填金額移転要請情報に含まれた移転要請金額を差し引き、差し引かれた金額に相当する第２使用者の充填残額を増減して第１及び第２使用者情報を更新して第１及び第２充填金額移転完了ＳＭＳを生成する充填金額移転手段とを含むことを特徴とする。
【００１４】
また、第１及び第２使用者情報は、第１及び第２使用者の識別番号、第１及び第２使用者の端末機識別番号、及び第１及び第２使用者の充填残額を含むことを特徴とする。
【００１５】
また、第２使用者端末機は、充填金額移転確認要請ＳＭＳを受信して充填金額移転確認ＳＭＳを発信し、第２充填金額移転完了ＳＭＳを受信する第３通信手段と、第２使用者の操作による充填金額移転確認情報を受ける第２入力手段と、第２使用者の充填残額、第２端末機識別番号、充填金額移転確認情報、及び充填金額移転完了情報を保存する第２電子決済支払手段と、充填金額移転要請情報及び充填金額移転確認要請ＳＭＳを受けて充填金額移転確認ＳＭＳを生成し、第２充填金額移転完了ＳＭＳによって第２電子決済支払手段に保存された充填残額を更新し、充填残額が更新されることによって充填が完了したことを示す充填金額移転完了情報を生成する第２制御手段と、充填金額移転確認要請ＳＭＳ、充填金額移転確認情報、充填残額、充填金額移転確認ＳＭＳ、第２充填金額移転完了ＳＭＳ、及び充填金額移転完了情報を出力する第２出力手段とを含む。
【００１６】
そして、第２電子決済支払手段に保存された充填残額の更新は、第２充填金額移転完了ＳＭＳによって第２電子決済支払手段に既に保存された第２使用者の充填残額から充填金額移転確認情報に含まれた移転確認金額を増減させることで、第２使用者情報に含まれた充填残額を更新することを特徴とする。
【００１７】
一方、本発明の第１実施例による携帯電話を用いる電子支払手段の充填金額移転方法は、第１使用者端末機が第１使用者から充填金額移転要請情報を受けて充填残額を検索し、移転すべき金額が充填残額より小さければ、充填金額移転要請ＳＭＳを生成して充填金額移転要請ＳＭＳを充填サーバーに発信する第１過程と、充填サーバーが第１使用者情報を検索して充填金額移転確認要請ＳＭＳを生成し、充填金額移転確認要請ＳＭＳを第２使用者端末機に発信する第２過程と、第２使用者端末機が充填金額移転確認要請ＳＭＳを受信し、第２使用者から充填金額移転確認情報を受信して充填金額移転確認ＳＭＳを生成し、充填金額移転確認ＳＭＳを充填サーバーに発信する第３過程と、充填サーバーが充填金額移転確認ＳＭＳを受信して第１使用者情報及び第２使用者情報を更新し、第１充填金額移転完了ＳＭＳを生成して第１使用者端末機に発信し、第２充填金額移転完了ＳＭＳを生成して第２使用者端末機に発信する第４過程と、第１使用者端末機が受信した第１充填金額移転完了ＳＭＳによって充填残額を更新し、充填残額が更新されることによって充填が完了したことを示す充填金額移転確認情報を生成して第１使用者に提供する第５過程と、第２使用者端末機が受信した第２充填金額移転完了ＳＭＳによって充填残額を更新し、充填残額が更新されることによって充填が完了したことを示す充填金額移転完了情報を生成して第２使用者に提供する第６過程とを含む。
【００１８】
また、第１過程において、移転すべき金額が検索された充填残額より大きければ、第１使用者から充填金額移転要請情報をさらに受ける第７過程をさらに含む。
【００１９】
また、第１使用者端末機が第１使用者から入力された充填金額移転取消要請情報によって充填金額移転取消ＳＭＳを生成して充填サーバーに発信する第８過程と、充填サーバーが受信した充填金額移転取消ＳＭＳと対応する第１及び第２使用者情報を検索して第１及び第２使用者情報を更新し、第１充填金額移転取消完了ＳＭＳを生成して第１使用者端末機に発信し、第２充填金額移転取消完了ＳＭＳを生成して第２使用者端末機に発信する第９過程と、第１使用者端末機が受信した第１充填金額移転取消完了ＳＭＳによって充填残額を更新し、充填残額が更新されることによって充填が取り消されたことを示す充填金額移転取消完了情報を生成して第１使用者に提供する第１０過程と、第２使用者端末機が受信した第２充填金額移転取消完了ＳＭＳによって充填残額を更新し、充填残額が更新されることによって充填が取り消されたことを示す充填金額移転取消完了情報を生成して第２使用者に提供する第１１過程とをさらに含む。
【００２０】
そして、第２使用者端末機が第２使用者から入力された充填金額移転拒絶要請情報によって充填金額移転拒絶ＳＭＳを生成して充填サーバーに発信する第１２過程と、充填サーバーが受信した充填金額移転拒絶ＳＭＳと対応する第１及び第２使用者情報を検索して第１及び第２使用者情報を更新し、第２充填金額移転拒絶完了ＳＭＳを生成して第２使用者端末機に発信し、第１充填金額移転取消完了ＳＭＳを生成して第１使用者端末機に発信する第１３過程と、第２使用者端末機が受信した第２充填金額移転拒絶完了ＳＭＳによって充填残額を更新し、充填残額が更新されることによって充填金額移転が拒絶されたことを示す充填金額移転拒絶完了情報を生成して第２使用者に提供する第１４過程と、第１使用者端末機が受信した第１充填金額移転拒絶完了ＳＭＳによって充填残額を更新し、充填残額が更新されることによって充填金額移転が拒絶されたことを示す充填金額移転拒絶完了情報を生成して第１使用者に提供する第１５過程とをさらに含む。
【００２１】
一方、本発明の第２実施例による携帯電話を用いる電子支払手段の充填金額移転方法は、充填サーバーが第１使用者端末機１００から受信した充填金額移転要請ＳＭＳによって第１使用者情報を検索して生成した充填金額移転確認要請ＳＭＳを前記第１使用者端末機に発信する第１６過程と、第１使用者端末機が充填金額移転確認要請ＳＭＳを受信して内部に保存された充填残額を差し引いて更新し、第１充填金額移転完了ＳＭＳを生成して第１使用者に提供するとともに充填サーバーに発信する第１７過程と、充填サーバーが第１充填金額移転完了ＳＭＳを受信して検索された第１使用者情報の充填残額を差し引いて更新し、第２使用者情報を検索して生成した充填金額移転確認要請ＳＭＳを第２使用者端末機に発信する第１８過程と、第２使用者端末機が第２使用者から入力された充填金額移転確認情報によって内部に保存された充填残額を増減して更新するとともに生成した第２充填金額移転完了ＳＭＳを充填サーバーに発信するとともに第２使用者に提供する第１９過程と、充填サーバー２００が第２充填金額移転完了ＳＭＳを受信して検索された第２使用者の充填残額を増減して更新する第２０過程とを含む。
【００２２】
そして、第１使用者端末機が第１使用者から充填金額移転取消要請情報を受けて生成した充填金額移転取消ＳＭＳを充填サーバーに発信する第２１過程を含み、充填サーバーが第１６過程の手続きを行う前に第１充填金額移転取消ＳＭＳを受信すれば、第１使用者の充填残額を増減して更新し、第１充填金額移転取消完了ＳＭＳを生成して第１使用者端末機に発信する第２２過程と、第１使用者端末機が受信した第１充填金額移転取消完了ＳＭＳによって内部に保存された充填金額を増減して更新するとともに生成した充填金額移転取消完了情報を第１使用者に提供する第２３過程とを含むことを特徴とする。
【発明の効果】
【００２３】
前記のような本発明によれば、情報通信網を介して無線で充填サーバーを経て第１使用者端末機の電子決済支払手段に充填された金額を第２使用者端末機の電子決済支払手段に移転させることで、使用者が充填手段の備えられた場所を直接訪問するか、あるいはコンピュータのような記録媒体を介してオンライン上で使用者確認及び金融社による複雑な充填決済を遂行しなくても、端末機に充填された充填金額を他の使用者の端末機に移転することができる効果がある。
【００２４】
また、使用者が現金、クレジットカード、銀行口座及びマイレージを備えなくても他の使用者の端末機に充填金額を移転させることができる効果がある。
【図面の簡単な説明】
【００２５】
【図１】本発明の第１実施例による携帯電話を用いる電子支払手段の充填金額移転システムＳを示す構成図である。
【図２】本発明の第１実施例による携帯電話を用いる電子支払手段の充填金額移転システムの第１使用者端末機１００の構成要素間の関係を示す図である。
【図３】本発明の第１実施例による携帯電話を用いる電子支払手段の充填金額移転システムの充填サーバー２００の構成要素間の関係を示す図である。
【図４】本発明の第１実施例による携帯電話を用いる電子支払手段の充填金額移転システムの第２使用者端末機３００の構成要素間の関係を示す図である。
【図５】本発明の第１実施例による携帯電話を用いる電子支払手段の充填金額移転方法を示すフローチャートである。
【図６】本発明の第１実施例による携帯電話を用いる電子支払手段の充填金額移転方法の構成要素間の関係を示すフローチャートである。
【図７】本発明の第１実施例による携帯電話を用いる電子支払手段の充填金額移転方法に対する第１使用者端末機１００の一例を示すフローチャートである。
【図８】本発明の第１実施例による携帯電話を用いる電子支払手段の充填金額移転方法に対する第２使用者端末機３００の一例を示すフローチャートである。
【図９】本発明の第１実施例による携帯電話を用いる電子支払手段の充填金額移転方法の充填金額取消方法を示すフローチャートである。
【図１０】本発明の第１実施例による携帯電話を用いる電子支払手段の充填金額移転方法の充填金額拒絶方法を示すフローチャートである。
【図１１】本発明の第２実施例による携帯電話を用いる電子支払手段の充填金額移転方法を示すフローチャートである。
【図１２】本発明の第２実施例による携帯電話を用いる電子支払手段の充填金額移転方法の充填金額取消方法を示すフローチャートである。
【発明を実施するための形態】
【００２６】
本発明の具体的な特徴及び利点は添付図面に基づいた以降の詳細な説明からより明らかになるであろう。これに先立ち、本明細書及び請求範囲に使用された用語や単語は発明者が自分の発明を最良の方法で説明するために用語の概念を適切に定義することができるという原則に従い、本発明の技術的思想に合う意味と概念に解釈されなければならない。また、本発明に係わる公知機能及びその構成についての具体的な説明が本発明の要旨を不必要にあいまいにすることができると判断される場合には、その具体的な説明を省略することに気をつけなければならない。
【００２７】
図１は本発明による携帯電話を用いる電子支払手段の充填金額移転システムＳを示す構成図、図２は本発明の携帯電話を用いる電子支払手段の充填金額移転システムによる第１使用者端末機１００の構成要素間の関係を示す図、図３は本発明の携帯電話を用いる電子支払手段の充填金額移転システムによる充填サーバー２００の構成要素間の関係を示す図、図４は本発明の携帯電話を用いる電子支払手段の充填金額移転システムによる第２使用者端末機３００の構成要素間の関係を示す図である。
【００２８】
本発明の第１実施例による携帯電話を用いる電子支払手段の充填金額移転システムＳは、図１に示すように、第１使用者端末機１００、充填サーバー２００及び第２使用者端末機３００を含んでなる。
【００２９】
以下では説明を省略するが、本発明による第１使用者端末機１００、充填サーバー２００及び第２使用者端末機３００間の情報伝送は無線インターネットを支援するプロトコルであるＷＡＰ（Ｗｉｒｅｌｅｓｓ  Ａｃｃｅｓｓ  Ｐｒｏｔｏｃｏｌ）を含む情報通信網を介してなされ、第１使用者端末機１００及び第２使用者端末機３００の内部にはスマートカード（以下、‘第１電子決済支払手段及び第２電子決済支払手段’）を備えるとともに充填サーバー２００との接続を提供するＶＭ（Ｖｉｒｔｕａｌ  Ｍａｃｈｉｎｅ）が搭載された３Ｇ（３  Ｇｅｎｅｒａｔｉｏｎ）端末機であるものであると想定する。
【００３０】
第１使用者端末機１００は、第１使用者１０から入力された充填金額移転要請情報によって第１電子決済支払手段に保存された充填残額を検索し、移転すべき金額が充填残額より小さければ、生成された充填金額移転要請ＳＭＳ（Ｓｈｏｔ  Ｍｅｓｓａｇｅ  Ｓｅｒｖｉｃｅ）を発信し、第１充填金額移転完了ＳＭＳを受信し、第１電子決済支払手段に保存された充填残額を更新する機能をするもので、第１入力手段１１０、第１電子決済支払手段１２０、第１制御手段１３０、第１通信手段１４０及び第１出力手段１５０を含んでなる。
【００３１】
具体的に図２を参照して説明すれば、第１入力手段１１０は第１使用者１０の操作による充填金額移転要請情報を受け、第１電子決済支払手段１２０は第１使用者の充填残額、第１端末機識別番号、充填金額移転要請情報及び充填金額移転完了情報を保存する。
【００３２】
ここで、第１電子決済支払手段１２０は第１使用者端末機１００に挿入されるＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）チップ及びＯＴＡ（Ｏｖｅｒ  Ｔｈｅ  Ａｉｒ）チップのいずれか一つでなり、充填金額移転要請情報は、移転すべき金額、第２使用者端末機識別番号、及び第１使用者識別番号を含む。
【００３３】
第１制御手段１３０は、充填金額移転要請情報を受け、第１電子決済支払手段１２０に保存された充填残額を検索し、移転すべき金額が充填残額より小さければ、充填金額移転要請ＳＭＳを生成し、第１充填金額移転完了ＳＭＳによって第１電子決済支払手段１２０に保存された充填残額を更新し、充填残額が更新されることによって充填が完了したことを示す充填金額移転確認情報を生成する。
【００３４】
ここで、第１電子決済支払手段１２０に保存された充填残額の更新は、第１充填金額移転完了ＳＭＳによって既に保存された第１使用者の充填残額から充填金額移転要請情報に含まれた移転要請金額を差し引くことで、第１使用者情報に含まれた充填残額を更新する。
【００３５】
また、充填金額移転要請情報によって充填残額を検索し、移転すべき金額が充填残額より大きければ、第１使用者１０から充填金額移転要請情報をさらに受ける。
【００３６】
第１通信手段１４０は充填金額移転要請ＳＭＳを発信して第１充填金額移転完了ＳＭＳを受信し、第１出力手段１５０は充填金額移転要請情報、充填残額、充填金額移転要請ＳＭＳ、第１充填金額移転完了ＳＭＳ、及び充填金額移転確認情報を出力する。
【００３７】
充填サーバー２００は、充填金額移転要請ＳＭＳによって既に保存された第１使用者情報を検索するとともに充填金額移転確認要請ＳＭＳを生成して発信し、充填金額移転確認ＳＭＳを受信して既に保存された第１及び第２使用者情報を更新し、生成した第１及び第２充填金額移転完了ＳＭＳを発信する機能をするもので、第２通信手段２１０、充填保存ＤＢ２２０、及び充填金額移転手段２３０を含んでなる。
【００３８】
具体的に図３を参照して説明すれば、第２通信手段２１０は、充填金額移転要請ＳＭＳを受信して充填金額移転確認要請ＳＭＳを発信し、充填金額移転確認ＳＭＳを受信して第１及び第２充填金額移転完了ＳＭＳを発信する。
【００３９】
充填保存ＤＢ２２０は、第１及び第２使用者情報、充填金額移転確認要請ＳＭＳ、充填金額移転確認ＳＭＳ、及び第１及び第２充填金額移転完了ＳＭＳを保存する。ここで、第１及び第２使用者情報は、第１及び第２使用者識別番号、第１及び第２使用者の端末機識別番号、及び第１及び第２使用者の充填残額を含む。
【００４０】
充填金額移転手段２３０は、充填金額移転要請ＳＭＳによって第１使用者情報を検索して充填金額移転確認要請ＳＭＳを生成する。
【００４１】
また、充填金額移転確認ＳＭＳによって既に保存された第１使用者の充填残額から充填金額移転要請情報に含まれた移転要請金額を差し引き、差し引かれた金額に相当する第２使用者の充填残額を増減して第１及び第２使用者情報を更新することで第１及び第２充填金額移転完了ＳＭＳを生成する。
【００４２】
第２使用者端末機３００は、充填金額移転確認要請ＳＭＳを受信し、第２使用者２０から入力された充填金額移転確認情報によって充填金額移転確認ＳＭＳを生成して発信し、第２充填金額移転完了ＳＭＳ受信して第２電子決済支払手段に保存された充填残額を更新する機能をするもので、第２通信手段３１０、第２入力手段３２０、第２電子決済支払手段３３０、第２制御手段３４０、及び第２出力手段３５０を含んでなる。
【００４３】
具体的に図４を参照して説明すれば、第２通信手段３１０は、充填金額移転確認要請ＳＭＳを受信して充填金額移転確認ＳＭＳを発信し、第２充填金額移転完了ＳＭＳを受信する。
【００４４】
第２入力手段３２０は第２使用者２０の操作による充填金額移転確認情報を受け、第２電子決済支払手段３３０は充填残額、第２端末機識別番号、充填金額移転確認情報、及び充填金額移転完了情報を保存する。
【００４５】
ここで、第２電子決済支払手段３３０は、第１電子決済支払手段１２０と同様に、ＵＳＩＭチップ及びＯＴＡチップのいずれか一つでなり、充填金額移転確認情報は移転される金額及び第１使用者端末機識別番号を含む。
【００４６】
第２制御手段３４０は、充填金額移転要請情報及び充填金額移転確認要請ＳＭＳを受けて充填金額移転確認ＳＭＳを生成し、第２充填金額移転完了ＳＭＳによって第２電子決済支払手段３３０に保存された充填残額を更新し、充填残額が更新されることによって充填が完了したことを示す充填金額移転完了情報を生成する。
【００４７】
ここで、第２電子決済支払手段３３０に保存された充填残額の更新は、第２充填金額移転完了ＳＭＳによって既に保存された第２使用者の充填残額から充填金額移転確認情報に含まれた移転確認金額を増減させることで、第２使用者情報に含まれた充填残額を更新する。
【００４８】
第２出力手段３５０は、充填金額移転確認要請ＳＭＳ、充填金額移転確認情報、充填残額、充填金額移転確認ＳＭＳ、第２充填金額移転完了ＳＭＳ、及び充填金額移転完了情報を出力する。
【００４９】
以下、上述した本発明による携帯電話を用いる電子支払手段の充填金額移転システムＳによる充填金額移転方法について図５及び図６を参照して説明すれば次のようである。
【００５０】
まず、第１使用者端末機１００が第１使用者１０から充填金額移転要請情報を受けて充填残額を検索し（Ｓ１０）、移転すべき金額が充填残額より小さければ、充填金額移転要請ＳＭＳを生成し（Ｓ２０、Ｓ３０）、充填金額移転要請ＳＭＳを充填サーバー２００に発信する（Ｓ４０）。
【００５１】
ついで、充填サーバー２００が第１使用者情報を検索して充填金額移転確認要請ＳＭＳを生成し（Ｓ５０、Ｓ６０）、充填金額移転確認要請ＳＭＳを第２使用者端末機３００に発信する（Ｓ７０）。
【００５２】
また、充填金額移転確認要請ＳＭＳと対応するように検索された第１使用者情報を更新し（Ｓ８０）、生成した第１充填金額移転完了ＳＭＳを第１使用者端末機１００に発信する（Ｓ９０、Ｓ１００）。
【００５３】
ついで、第１使用者端末機１００が受信した第１充填金額移転完了ＳＭＳによって充填残額を差し引いて更新し（Ｓ１１０）、充填残額が更新されることによって充填が完了したことを示す充填金額移転確認情報を生成して第１使用者１０に提供する（Ｓ１２０）。
【００５４】
一方、第２使用者端末機３００が充填サーバー２００から充填金額移転確認要請ＳＭＳを受信し（Ｓ７０）、第２使用者２０から充填金額移転確認情報を受信して充填金額移転確認ＳＭＳを生成し（Ｓ１３０）、充填金額移転確認ＳＭＳを充填サーバー２００に発信する（Ｓ１４０）。
【００５５】
ついで、充填サーバー２００が充填金額移転確認ＳＭＳを受信して第２使用者情報を更新し（Ｓ１５０）、第２充填金額移転完了ＳＭＳを生成して第２使用者端末機３００に発信する（Ｓ１６０、Ｓ１７０）。
【００５６】
そして、第２使用者端末機３００が受信した第２充填金額移転完了ＳＭＳによって充填残額を更新し（Ｓ１８０）、充填残額が更新されることによって充填が完了したことを示す充填金額移転完了情報を生成して第２使用者２０に提供する（Ｓ１９０）。
【００５７】
また、上述したＳ２０段階で移転すべき金額が検索された充填残額より大きければ、第１使用者から充填金額移転要請情報をさらに受ける（Ｓ２００）。
【００５８】
図７及び図８は本発明による携帯電話を用いる電子支払手段の充填金額移転システムＳを利用した充填金額移転方法の一例を示す図であり、図７のプレゼントすることは充填金額移転要請情報と理解することができ、第１電子決済手段の検索をＣｈｉｐ  ａｃｃｅｓｓと解釈することができ、既存の残額は第１使用者端末機１００の充填残額と、プレゼントすべき携帯電話番号は第２使用者端末機識別番号と解釈することが好ましい。
【００５９】
以下、上述した本発明の第１実施例による携帯電話を用いる電子支払手段の充填金額移転システムＳを利用した充填金額移転方法の取消及び拒絶方法について図９及び図１０を参照して説明すれば次のようである。
【００６０】
以下では説明を省略するが、充填金額移転方法の取消及び拒絶方法による充填金額移転取消ＳＭＳ生成、第１充填金額移転取消完了ＳＭＳによる充填残額更新、及び第１充填金額移転拒絶完了ＳＭＳによる充填残額の更新は第１使用者端末機１００が含む第１制御手段１３０によって行われるものであると想定する。
【００６１】
また、第２充填金額移転取消完了ＳＭＳによる充填残額の更新、充填金額移転拒絶ＳＭＳ生成、及び第２充填金額移転拒絶完了ＳＭＳによる充填残額の更新は第２使用者端末機３００が含む第２制御手段３４０によって行われるものであると想定する。
【００６２】
まず、図９を参照して充填金額移転取消方法について説明すれば次のようである。
【００６３】
第１使用者端末機１００が第１使用者１０から受けた充填金額移転取消要請情報によって充填金額移転取消ＳＭＳを生成して充填サーバー２００に発信する（Ｓ２１０、Ｓ２２０）。
【００６４】
ついで、充填サーバー２００が受信した充填金額移転取消ＳＭＳと対応する第１及び第２使用者情報を検索して第１及び第２使用者情報を更新し（Ｓ２３０ａ、Ｓ２４０ａ）、第１充填金額移転取消完了ＳＭＳを生成して第１使用者端末機１００に発信し（Ｓ２５０ａ、Ｓ２６０ａ）、第２充填金額移転取消完了ＳＭＳを生成して第２使用者端末機３００に発信する（Ｓ２７０ａ、Ｓ２８０ａ）。
【００６５】
ついで、第１使用者端末機１００が受信した第１充填金額移転取消完了ＳＭＳによって差し引かれた充填残額を増減して更新し（Ｓ２９０）、充填残額が更新されることによって充填が取り消されたことを示す充填金額移転取消完了情報を生成して第１使用者１０に提供する（Ｓ３００）。
【００６６】
そして、第２使用者端末機３００が受信した第２充填金額移転取消完了ＳＭＳによって増減された充填残額を差し引いて更新し（Ｓ３１０）、充填残額が更新されることによって充填が取り消されたことを示す充填金額移転取消完了情報を生成して第２使用者２０に提供する（Ｓ３２０）。
【００６７】
一方、図１０を参照して本発明の第１実施例による充填金額移転拒絶方法について説明すれば次のようである。第２使用者端末機３００が第２使用者２０から入力された充填金額移転拒絶要請情報によって充填金額移転拒絶ＳＭＳを生成して充填サーバー２００に発信する（Ｓ３３０、Ｓ３４０）。
【００６８】
ついで、充填サーバー２００が受信した充填金額移転拒絶ＳＭＳと対応する第１及び第２使用者情報を検索して第１及び第２使用者情報を更新し（Ｓ２３０ｂ、Ｓ２４０ｂ）、第２充填金額移転拒絶完了ＳＭＳを生成して第２使用者端末機３００に発信し（Ｓ２４０ｂ、Ｓ２５０ｂ）、第１充填金額移転取消完了ＳＭＳを生成して第１使用者端末機１００に発信する（Ｓ２７０ｂ、Ｓ２８０ｂ）。
【００６９】
ついで、第２使用者端末機３００が受信した第２充填金額移転拒絶完了ＳＭＳによって増減された充填残額を差し引いて更新し（Ｓ３５０）、充填残額が更新されることによって充填金額移転が拒絶されたことを示す充填金額移転拒絶完了情報を生成して第２使用者２０に提供する（Ｓ３６０）。
【００７０】
そして、第１使用者端末機１００が受信した第１充填金額移転拒絶完了ＳＭＳによって差し引かれた充填残額を増減して更新し（Ｓ３７０）、充填残額が更新されることによって充填金額移転が拒絶されたことを示す充填金額移転拒絶完了情報を生成して第１使用者１０に提供する（Ｓ３８０）。
【００７１】
以下、本発明の第２実施例による充填金額移転方法について説明する。第２実施例による携帯電話を用いる電子支払手段の充填金額移転方法は第１実施例システム及びその方法に基づくが、図１１に示すように、第１使用者端末機、充填サーバー及び第２使用者端末機のそれぞれの構成間の充填金額移転処理による処理過程が異なる。
【００７２】
すなわち、第１実施例は、第１使用者端末機１００から充填金額移転要請ＳＭＳを受信した充填サーバー２００が充填金額を差し引いて第１使用者情報の充填残額を差し引いて更新し、生成した第１充填金額移転完了ＳＭＳを第１使用者端末機１００に発信した後、第１使用者端末機１００が第１充填金額移転完了ＳＭＳを受信すれば、内部に保存された充填残額を差し引いて更新して充填金額の移転作業を完了するように構成される。
【００７３】
また、第２使用者端末機３００が充填金額移転確認要請ＳＭＳを受信するとともに第２使用者２０から充填金額移転確認情報を受けて生成した充填金額移転確認ＳＭＳを充填サーバー２００に発信し、充填サーバー２００が充填金額を差し引いて第２使用者情報の充填残額を増減して更新し、生成した第２充填金額移転完了ＳＭＳを第２使用者端末機３００に発信した後、第２使用者端末機３００が第２充填金額移転完了ＳＭＳを受信すれば、内部に保存された充填残額を増減して更新して充填金額の移転作業を完了するように構成される。
【００７４】
一方、本発明による第２実施例の充填金額移転方法は、第１使用者端末機１００から充填金額移転要請ＳＭＳを受信した充填サーバー２００が第１使用者情報を検索して生成した充填金額移転確認要請ＳＭＳを第１使用者端末機１００に発信する（Ｓ３９０〜Ｓ４５０）。
【００７５】
ついで、充填金額移転確認要請ＳＭＳを受信した第１使用者端末機１００が内部に保存された充填残額を差し引いて更新するとともに第１充填金額移転完了ＳＭＳを生成して第１使用者１０に提供するとともに充填サーバー２００に発信する（Ｓ４６０〜Ｓ４９０）。
【００７６】
その後、充填サーバー２００が第１充填金額移転完了ＳＭＳを受信して検索された第１使用者情報の充填残額を差し引いて更新し（Ｓ５００）、第２使用者情報を検索して生成された充填金額移転確認要請ＳＭＳを第２使用者端末機３００に発信する（Ｓ５１０、Ｓ５２０）。
【００７７】
ついで、第２使用者２０から充填金額移転確認情報を受けた第２使用者端末機３００が内部に保存された充填残額を増減して更新するとともに生成した第２充填金額移転完了ＳＭＳを充填サーバー２００に発信するとともに第２使用者２０に提供する（Ｓ５３０〜Ｓ５６０）。
【００７８】
そして、充填サーバー２００が第２充填金額移転完了ＳＭＳを受信して検索された第２使用者の充填残額を増減して更新する（Ｓ５７０）。
【００７９】
また、前記第１実施例のＳ２００段階と同様に、移転すべき金額が検索された充填残額より大きければ、第１使用者から充填金額移転要請情報をさらに受ける（Ｓ５８０）。
【００８０】
以下、図１２を参照して本発明の第２実施例による充填金額移転方法の充填金額移転取消過程について説明すれば次のようである。
【００８１】
第１使用者端末機１００が第１使用者１０から充填金額移転取消要請情報を受ける。これを受けた第１使用者端末機１００は生成した充填金額移転取消ＳＭＳを充填サーバー２００に発信する（Ｓ５８０、Ｓ５９０）。
【００８２】
この際、充填サーバー２００が前記Ｓ５２０段階に先立ち、つまり第２使用者端末機３００に充填金額移転確認要請ＳＭＳを発信する手続きを行うに先立ち、第１使用者端末機１００から充填金額移転取消ＳＭＳを受信すれば、第１使用者の充填残額を増減して更新し（Ｓ６００）、第１充填金額移転取消完了ＳＭＳを生成して第１使用者端末機１００に発信する（Ｓ６１０、Ｓ６２０）。
【００８３】
そして、第１使用者端末機１００が受信した第１充填金額移転取消完了ＳＭＳによって内部に保存された充填金額を増減して更新するとともに生成した充填金額移転取消完了情報を第１使用者１０に提供する（Ｓ６３０、Ｓ６４０）。
【００８４】
以上、本発明の技術的思想を例示するための好適な実施例に基づいて説明して示したが、本発明はこのように示されるか説明されたような構成及び作用にだけ限定されるものではなく、技術的思想の範疇を逸脱することなしに、本発明の多数の変更及び修正が可能であることが当業者であればよく理解可能であろう。したがって、そのようないずれの適切な変更、修正及び均等物も本発明の範囲に属するものと見なされなければならない。
【符号の説明】
【００８５】
Ｓ：携帯電話を用いる電子支払手段の充填金額移転システム
１０：第１使用者
２０：第２使用者
１００：第１使用者端末機
１１０：第１入力手段
１２０：第１電子決済支払手段
１３０：第１制御手段
１４０：第１通信手段
１５０：第１出力手段
２００：充填サーバー
２１０：第２通信手段
２２０：充填保存ＤＢ
２３０：充填金額移転手段
３００：第２使用者端末機
３１０：第３通信手段
３２０：第２入力手段
３３０：第２電子決済支払手段
３４０：第２制御手段
３５０：第２出力手段
【図１】
2011526022.tif 000003
【図２】
2011526022.tif 000004
【図３】
2011526022.tif 000005
【図４】
2011526022.tif 000006
【図５】
2011526022.tif 000007
【図６】
2011526022.tif 000008
【図７】
2011526022.tif 000009
【図８】
2011526022.tif 000010
【図９】
2011526022.tif 000011
【図１０】
2011526022.tif 000012
【図１１】
2011526022.tif 000013
【図１２】
2011526022.tif 000014
【国際調査報告】
2011526022.tif 000015
2011526022.tif 000016
2011526022.tif 000017
2011526022.tif 000018